(57)【要約】【課題】  車両用計器の表示部に、指針式のアナログ計器のようにグラフィック表示される計器で、表示エリアが小さくても計器としての視認性を向上させる。【解決手段】  指針式アナログ表示するための目盛りを複数の領域で分割して、分割された何れの領域の内、車両から取得した計測データに応じた領域の目盛りを表示部にグラフィック表示することで、表示部の表示エリアが小さくても大きくグラフィック表示され視認性を高めることができた。【選択図】図１
2017138293.tif 000002
【特許請求の範囲】
【請求項１】
車両用計器の表示部にグラフィク表示される指針式アナログ表示であって、指針式アナログ表示するための目盛りを複数の領域に分割し、分割された何れの領域の内、車両から取得した計測データに応じた領域の目盛りを表示部にグラフィック表示することを特徴とする車両用計器の表示方法。
【発明の詳細な説明】
【技術分野】
【０００１】  本発明は、車両用計器の表示方法に関し、特に液晶モニターなどに表示される指針式アナログ計器の視認性を向上させる方法に関する。
【背景技術】
【０００２】  従来、車両に既設あるいは後付の車両用計器は、視認性の高さや連続して変化する情報を把握しやすいといったことなどから指針式のアナログ計器が主流となっている。例えば特開２００４−１７７１４６号公報（特許文献１）の図１を参照。また、液晶モニターなどの表示部に表示される計器であれば、車両に備えられたＯＢＤ２コネクター（自己診断機能接続コネクター）に接続して表示部にエンジン回転計、ブースト圧計、水温計などの種々計器をアナログ計器の如く表示するレーダー探知機が知られている。例えば特開２０１３−１４１８３７号公報（特許文献２）の図７を参照。また、同様にＯＢＤ２コネクターにスマートフォンを接続して前記同様な計器類を指針式のアナログ計器の如く表示部に表示するアプリケーションソフトウェアも良く知られている。【０００３】  これらの指針式のアナログ計器や表示部に指針式のアナログ計器の如くグラフィック表示する計器は、同一円周上に目盛りが表示されており、指針によって現在の情報が指し示される。特に表示部に指針式のアナログ計器の如くグラフィック表示する計器は、指針式のアナログ計器のように、エンジン回転計、ブースト圧計など単一用途に限らずＯＢＤ２コネクターに接続することによって速度、エンジン回転、油音、油圧、水温、電圧、圧力など多様な車両の情報を表示することができ、指針駆動のためのステッピングモーターなどの内部機構や指針、目盛板が不要であるので本体を薄型省スペースに設定することができ後付の計器としたときは車両への取付け自由度が高くなる。
【先行技術文献】
【特許文献】
【０００４】
【特許文献１】  特開２００４−１７７１４６号公報
【特許文献２】  特開２０１３−１４１８３７号公報
【発明の概要】
【発明が解決しようとする課題】
【０００５】  ところで、特許文献２に開示された表示部に指針式のアナログ計器の如くグラフィック表示された計器は、表示部のサイズ（表示エリア）に応じたサイズで表示されるが、３インチ程度のレーダー探知機や５インチ程度のスマートフォンの小サイズの表示部にグラフィック表示された場合は、表示部の表示エリアの小ささゆえ、指針式アナログ表示するための目盛り全体がそのまま縮小してグラフィック表示されることになるので計器としては小さすぎて著しく視認性に欠けるといった不都合があった（図１（Ｄ）及び図２（Ｄ）参照）。そこで、表示エリアの小さい表示部であっても、計器としての視認性を向上することのできる車両用計器の表示方法を提供することを目的とする。
【課題を解決するための手段】
【０００６】  上記課題は本発明の請求項１によれば、車両用計器の表示部にグラフィク表示される指針式アナログ表示であって、指針式アナログ表示するための目盛りを複数の領域に分割し、分割された何れの領域の内、車両から取得した計測データに応じた領域の目盛りを表示部にグラフィック表示することで解決される。
【発明の効果】
【０００７】  本発明によれば、車両用計器の表示部にグラフィク表示される指針式アナログ表示であって、指針式アナログ表示するための目盛りを複数の領域に分割し、分割された何れの領域の内、車両から取得した計測データに応じた領域の目盛りを表示部にグラフィック表示するようにしたので、指針式アナログ表示するための目盛りを、連成計であれば正圧と負圧の各領域などに分割、回転計であれば低回転から高回転までを幾つかの領域などに分割、ハイブリッド車両の回転計であればモーター回転とエンジンの回転の各領域などに分割、水温計や油温計であれば温度帯域によって幾つかの領域などに分割するなど、計器として表示可能なあらゆる計測データを指針式アナログ表示するための目盛りを複数の領域に分割し、表示することで、表示部の表示エリアが小さい場合であっても、大きくグラフィック表示され視認性を高めた車両用計器の表示方法の提供を可能とした。
【図面の簡単な説明】
【０００８】
【図１】本発明の表示方法を連成計で示す図である。
【図２】本発明の表示方法をエンジン回転計で示す図である。
【図３】本発明の表示方法をハイブリッド車両の回転計で示す図である。
【図４】本発明の表示状態の例を示す図である。
【発明を実施させるための形態】
【０００９】  本発明について図面を参照して詳細に説明する。図１は本発明の計器の表示例を示す図である。車両用計器の本体（１）は、表示部（２）と各種設定を行う設定ボタン（３）とを備え、車両と接続ケーブル（４）を介して接続することによって表示部（２）で速度、エンジン回転、油温、油圧、水温、電圧、圧力など多様な車両の情報を目盛板と指針を有するアナログ計器の如くグラフィック表示する。
【００１０】  本体（１）の内部には、動作のための回路基板などを有するが、本発明の要旨は表示方法に係るものなのでそれらの説明については省略する。また、表示部（２）は液晶モニターや有機ＥＬパネルなどへ指針式のアナログ計器をグラフィック表示することのできるものであれば特に限定をするものではない。また、図１（図２乃至図４を含む）において本体（１）に一体に表示部（２）が備えられているが、本体（１）と表示部（２）を別体としても良い。さらに、車両への接続は接続ケーブル（４）によって行うが、車両に備えられたＯＢＤ２コネクター（自己診断機能接続コネクター）に接続することで多様な情報を得ることができるので最も望ましい。もちろん個々の情報を得られる配線に直接接続したり、追加でセンサー類を取り付けたりしても良い。
【００１１】  図１は、例として表示部（２）に連成計を当てはめたものである。連成計は、ターボチャージャーやスーパーチャージャーなどの過給器付車両において、過給器の動作状態やコンディションを確認するための計器で、正圧（過給圧・ブースト圧）と負圧（吸気圧・バキューム圧）を表示する。図１（Ａ）は、正圧領域を示した図、図１（Ｂ）は、負圧領域を示した図、図１（Ｃ）は、正圧領域と負圧領域の指針式アナログ表示するための連成計の目盛りの０（ゼロ）を境として正圧領域と負圧領域に切り離して分割した状態例を示す説明図、図１（Ｄ）は、従来のように正圧領域と負圧領域を指針式アナログ表示するための連成計の目盛りを小サイズの表示部（２）にグラフィック表示した状態で、計器としては小さすぎる表示となり視認性に著しく難があることを示す図である。
【００１２】  図１（Ｃ）に示されるように目盛りが負圧領域から正圧領域までの指針式アナログ表示するための連成計の目盛りの０（ゼロ）を境として正圧領域と負圧領域に切り離して分割表示するようにしたので、図１（Ａ）及び図１（Ｂ）に示されるように、各領域が図１（Ｄ）に示されるように小さなグラフィック表示と比較して、はるかに大きくグラフィック表示されることになり、視認性を大いに高めることを実現した。また、正圧領域と負圧領域の切り替えは、本体（１）に入力されるデータが正圧のときは図１（Ａ）、負圧のときは図１（Ｂ）に自動的に瞬時に切り替えて表示されるので何ら違和感なく容易に視認することができる。
【００１３】  図２は、他例として表示部（２）にエンジンの回転計を当てはめたものである。図２（Ａ）は、中回転から高回転領域を示した図、図２（Ｂ）は、低回転から中回転領域を示した図、図２（Ｃ）は、指針式アナログ表示するための回転計の目盛りの４０００回転を境として中回転から高回転領域と低回転から中回転領域に切り離して分割した状態例を示す説明図、図２（Ｄ）は、従来のように低回転から高回転まで指針式アナログ表示するための回転計の目盛りを小サイズの表示部（２）にグラフィック表示した状態で、計器としては小さすぎる表示となり視認性に著しく難があることを示す図である。
【００１４】  図２（Ｃ）に示されるように目盛りが低回転から高回転までの指針式アナログ表示するための回転計の目盛りの４０００回転を境として中回転から高回転領域と低回転から中回転領域に切り離して分割表示するようにしたので、図２（Ａ）及び図２（Ｂ）に示されるように、各領域が図２（Ｄ）に示されるように小さなグラフィック表示と比較して、遥かに大きくグラフィック表示されることになり、視認性を大いに高めることを実現した。また、中回転から高回転領域と低回転から中回転領域の切り替えは、本体（１）に入力される回転数のデータが低回転から高回転へ徐々に上昇した場合は、３９９９回転までが図２（Ｂ）、４０００回転以上になった時に図２（Ａ）へ分割した目盛りが自動的に切り替わる。また、本体（１）に入力されるエンジン回転データが高回転から低回転へ下降した場合は４０００回転までが図２（Ａ）、３９９９回転以下が図２（Ｂ）へ分割した目盛りを自動的に切り替えてグラフィック表示される。図２（Ｂ）から図２（Ａ）へ、また図２（Ａ）から図２（Ｂ）へ連続的かつ、自動的に分割した目盛りを切り替えることで何ら違和感なく容易に視認することができる。
【００１５】  図３は、他例として表示部（２）にハイブリッド車両のエンジンとモーターの回転計を当てはめたものである。図３（Ａ）は、エンジンが稼働している際の回転数を示した図、図３（Ｂ）は、モーターが稼働している際の回転数を示した図、図３（Ｃ）は、エンジンの回転数表示領域とモーター回転数表示領域を切り離して分割した状態を示す説明図、図３（Ｄ）は、従来のようにエンジンの回転数表示領域とモーター回転数表示領域を同一の円周上に表示した回転計を小サイズの表示部（２）にグラフィック表示した状態で、計器としては小さすぎる表示となり視認性に著しく難があることを示す図である。
【００１６】  図３（Ｃ）に示されるように目盛りがエンジンの回転数表示領域とモーター回転数表示領域を切り離して分割表示するようにしたので、図３（Ａ）及び図３（Ｂ）に示されるように、各領域が図３（Ｄ）に示されるように小さなグラフィック表示と比較して、遥かに大きくグラフィック表示されることになり、視認性を大いに高めることを実現した。また、エンジンの回転数表示領域とモーター回転数表示領域の切り替えは、エンジンが駆動しているときは図３（Ａ）、エンジンが駆動していないときは図３（Ｂ）に自動的に瞬時に切り替えてグラフィック表示されるので何ら違和感なく容易に視認することができる。
【００１７】  図４は、領域に分割してグラフィック表示する際の表示状態について示す図である。図４（Ａ）は、中回転から高回転領域を示した図、図４（Ｂ）は、低回転から中回転領域を示した図、図４（Ｃ）は、図４（Ｂ）に示された領域の目盛りを例として表示角度を異ならしめた例を示す図である。
【００１８】  図４（Ｃ）の（１）は、図２（Ｂ）と同じ角度での表示例（目盛りの円弧が下側）、図４（Ｃ）の（２）は、図４（Ｂ）の表示例（目盛りの円弧が上側）、図４（Ｃ）の（３）は、目盛りの円弧が左右均等に上側を向くように配置した表示例である。
【００１９】  このように、分割した領域の目盛りの表示角度は、図１乃至図３に示されたような表示角度に限定されたものではなく、各領域の目盛りを同一の表示角度に設定しても、異なる表示角度にしても視認性の向上については何ら差支えないところであり、自由に適宜設定すればよい。
【００２０】  以上説明したように、本発明においては、指針式アナログ表示するための目盛りを、連成計であれば正圧と負圧の各領域などに分割、回転計であれば低回転から高回転までを幾つかの領域などに分割、ハイブリッド車両の回転計であればモーター回転とエンジンの回転の各領域などに分割、水温計や油温計であれば温度帯域によって幾つかの領域などに分割するなど、計器として表示可能なあらゆる計測データを指針式アナログ表示するための目盛りを複数の領域に分割し、表示することで、表示部の表示エリアが小さい場合であっても、大きくグラフィック表示されることになり視認性が大いに高まった。
【符号の説明】
【００２１】          １          本体
２          表示部
３          設定ボタン
４          接続ケーブル
【図１】
2017138293.tif 000003
【図２】
2017138293.tif 000004
【図３】
2017138293.tif 000005
【図４】
2017138293.tif 000006